(57)【要約】【課題】フェースアップ及びフェースダウン積載をする構成の画像形成装置20においてトレイを開けたとき、記録材Ｐの円滑な搬送を確保すること。【解決手段】画像形成後の記録材Ｐを搬送する搬送ローラ対６と、搬送ローラ対６の下流で記録材Ｐを排出するために搬送する排出ローラ対７、８と、排出ローラ対７、８から排出される記録材Ｐを積載する排出トレイ９と、排出ローラ対７、８に搬送される記録材Ｐが通過する搬送路16と、開閉可能な構成で閉じた状態では記録材Ｐを搬送路16に案内し開いた状態では搬送ローラ対６から搬送される記録材Ｐを積載する排出トレイ11と、を有する画像形成装置20において、搬送路16の入口を遮蔽するシャッター部材12を配設し、シャッター部材12のシャッター部12ａは、排出トレイ11が閉じた状態では搬送路16の入口から退避し、排出トレイ11が開いた状態では搬送路16の入口を遮蔽することを特徴とする。【選択図】  図２
2006232525.tif 000002
【特許請求の範囲】
【請求項１】
画像形成後の記録材を搬送する搬送手段と、前記搬送手段の下流で記録材を排出するために搬送する排出手段と、前記排出手段から排出される記録材を積載する第一排出部と、前記排出手段に搬送される記録材が通過する搬送路と、開閉可能な構成で閉じた状態では記録材を前記搬送路に案内し開いた状態では前記搬送手段から搬送される記録材を積載する第二排出部と、を有する画像形成装置において、
前記搬送路の入口を遮蔽する遮蔽部材を配設し、
前記遮蔽部材の遮蔽部は、前記第二排出部が閉じた状態では前記搬送路の入口から退避し、前記第二排出部が開いた状態では前記搬送路の入口を遮蔽することを特徴とする画像形成装置。
【請求項２】
請求項１に記載の画像形成装置において、
前記搬送路の入口に設けられ、前記搬送路中の記録材を前記第一排出部側へ搬送するローラ対を前記排出手段は備え、
前記第二排出部が開いた状態では記録材が前記ローラ対に進入しないように前記遮蔽部材の遮蔽部が前記ローラ対を覆うように位置することを特徴とする画像形成装置。
【請求項３】
請求項１または２に記載の画像形成装置において、
前記遮蔽部材は、断面略Ｃ字状に形成された遮蔽部と、第二排出部が閉じた状態において前記第二排出部に突き当てるための突当部と、前記遮蔽部と前記突当部との間に位置する回動軸と、を有することを特徴とする画像形成装置。
【請求項４】
請求項３に記載の画像形成装置において、
前記遮蔽部材の前記回動軸は、前記搬送路の入口よりも装置本体の外側に配設されたことを特徴とする画像形成装置。
【請求項５】
請求項１または２に記載の画像形成装置において、
前記遮蔽部材は、プレート状に形成された遮蔽部と、前記遮蔽部と一体的に構成され前記第二排出部に突き当てるための突当部と、前記遮蔽部を前記第二排出部側に付勢するための付勢部と、を有することを特徴とする画像形成装置。
【請求項６】
請求項５に記載の画像形成装置において、
前記遮蔽部材の前記遮蔽部は、前記第二排出部が閉じた状態では、前記搬送路の入口よりも装置本体の内側に配設されることを特徴とする画像形成装置。
【請求項７】
請求項１に記載の画像形成装置において、
前記排出手段は、前記搬送路の最下流端に１つ配設することを特徴とする画像形成装置。
【発明の詳細な説明】
【技術分野】
【０００１】
本発明は、記録材上に画像を形成する複写機、プリンタ、ファクシミリ装置等の画像形成装置に関し、特に、フェースダウン及びフェースアップ排出を行い得る画像形成装置に関するものである。
【背景技術】
【０００２】
従来の画像形成装置において、画像定着後の記録材の排出方向を切り替えて、フェースダウン及びフェースアップ排出を行うことができる画像形成装置がある（例えば、特許文献１乃至３参照）。この構成の画像形成装置には、排出ローラ対が複数ある構成（特許文献１及び２参照）又は排出ローラ対が１つのみの構成（特許文献３参照）があるが、この構成の一例について図１１を用いて説明する。次の説明では、排出ローラ対が複数ある場合の構成について説明する。
【０００３】
図１１に示すように、フェースダウン及びフェースアップ排出を行う画像形成装置は、記録材の画像形成面を下側（フェースダウン）で積載する積載面109と、記録材の画像形成面を上側（フェースアップ）で積載するトレイ111を有する。また、画像定着を行う定着部の記録材搬送方向下流側には、搬送ローラ対106、排出ローラ対107、108が配設される。
【０００４】
記録材をフェースダウンで排出する際には、図１１（ａ）で示すように、トレイ111を閉じる。すると、搬送ガイド110も連動して閉じるため、記録材が搬送ガイド110にガイドされつつ、排出ローラ対107と排出ローラ対108に搬送される。この過程で記録材の上下が反転し、記録材は画像形成面を下面にして積載面109に積載される。
【０００５】
記録材をフェースアップで排出する際には、図１１（ｂ）に示すように、トレイ111を開ける。すると、搬送ガイド110も連動して開き、搬送ガイド110が搬送ローラ対106から離間するため、記録材が搬送ガイド110にガイドされずに搬送され、記録材は画像形成面を上面にしたままトレイ111に積載される。
【０００６】
【特許文献１】特開平９−２７８２５２
【特許文献２】特開２００２−１４５５０４
【特許文献３】特開２００１−３４１９１９
【発明の開示】
【発明が解決しようとする課題】
【０００７】
しかしながら、上記技術によると、フェースアップで積載する際に、以下のような課題があった。図１２において、記録材Ｐｔは、搬送ガイド110及びトレイ111上に積載された記録材のうち最上部の記録材を示し、記録材Ｐｎは、搬送ローラ対106から搬送ガイド110及びトレイ111へと搬送される記録材を示す。
【０００８】
図１２（ａ）に示すように、周囲の環境により、記録材Ｐｔが後端が上部に撓んで排出される場合がある。この際に次の記録材Ｐｎが搬送ローラ対106から排出されてくると、図１２（ｂ）に示すように、記録材Ｐｔの後端の下面と記録材Ｐｎの先端の上面とが接触する場合がある。そのまま図１２（ｃ）に示すように、記録材Ｐｎが搬送ローラ対106の搬送力により上方に搬送されると、排出ローラ対107のニップ部に当接し、円滑な排出が妨げられる可能性がある。この結果、ユーザーの意図しない排出がなされたり、ジャムを引き起こす可能性もある。
【０００９】
また、排出ローラ対107がなく、排出ローラが１つのみの構成であっても、記録材Ｐｔの後端及び記録材Ｐｎが搬送路116に進入してしまうと、記録材Ｐの円滑な排出が妨げられる可能性がある。
【００１０】
そこで、本発明の目的は、フェースアップ及びフェースダウン積載をする構成の画像形成装置においてトレイを開けたとき、記録材の円滑な搬送を確保することである。
【課題を解決するための手段】
【００１１】
前記目的を達成するための本発明に係る代表的な構成は、画像形成後の記録材を搬送する搬送手段と、前記搬送手段の下流で記録材を排出するために搬送する排出手段と、前記排出手段から排出される記録材を積載する第一排出部と、前記排出手段に搬送される記録材が通過する搬送路と、開閉可能な構成で閉じた状態では記録材を前記搬送路に案内し開いた状態では前記搬送手段から搬送される記録材を積載する第二排出部と、を有する画像形成装置において、前記搬送路の入口を遮蔽する遮蔽部材を配設し、前記遮蔽部材の遮蔽部は、前記第二排出部が閉じた状態では前記搬送路の入口から退避し、前記第二排出部が開いた状態では前記搬送路の入口を遮蔽することを特徴とする。
【発明の効果】
【００１２】
以上のような構成により、前記第二排出部を閉じると、前記第二排出部は記録材を前記搬送路に案内し、同時に前記搬送路の入口から前記遮蔽部が退避する。このため、記録材は前記搬送路内に案内され、前記排出手段によって第一排出部に排出される。また、前記第二排出部を開くと、前記搬送路の入口を前記遮蔽部が遮蔽する。このため、記録材は前記搬送路内に案内されることなく、確実に前記第二排出部上に排出される。
【００１３】
また、第二排出部を開いた状態において、前記第二排出部に積載された記録材のうち最上部の記録材が撓んで排出された結果、前記最上部の記録材の後端とその次に搬送された記録材の先端とが当接して前記搬送路側に向かったとしても、前記遮蔽部は前記搬送路を遮蔽している。このため、前記最上部の記録材の後端とその次に搬送された記録材の先端は、前記搬送路に案内されることはなく、前記遮蔽部の下面に沿って前記第二排出部に排出される。
【発明を実施するための最良の形態】
【００１４】
〔第１実施形態〕
以下、図面を用いて本発明の第１実施形態を説明する。説明において、画像形成装置20の概略説明の後に、本実施形態の特徴部分であるシャッター部材12の詳細説明を行う。
【００１５】
（画像形成装置20の概略構成）
画像形成装置の一例の概略を説明をする。図１は画像形成装置20の概略説明をするための断面図である。
【００１６】
図１に示すように、画像形成装置20は、記録材Ｐを積載する給送トレイ１と、積載された記録材Ｐを１枚ずつ給送する給送部２と、給送された記録材Ｐを搬送する搬送ローラ対３と、記録材Ｐにトナー画像を転写する転写部４と、記録材Ｐ上のトナー画像を熱定着させるための定着部５と、定着後の記録材Ｐを搬送する搬送ローラ対６と、搬送ローラ対６から送られてきた記録材Ｐを本体上面側に搬送する排出ローラ対（排出手段）７と、記録材Ｐを本体外部に排出するための排出ローラ対（排出手段）８と、排出された記録材Ｐを積載する排出トレイ（第一排出部）９と、回動させて開くことにより排出された記録材Ｐを積載する排出トレイ（第二排出部）11と、を有する。
【００１７】
また、転写部４としては、記録材Ｐにトナー画像を転写する感光体ドラム（像担持体）４ａと、感光体ドラム４ａに記録材Ｐを押圧するための転写ローラ４ｂと、感光体ドラム４ａにレーザー情報を書き込む光学スキャナ４ｃと、感光体ドラム４ａと感光体ドラム４ａにトナーを供給する現像部（不図示）を有するカートリッジ４ｄと、を有する。また、排出ローラ対７又は搬送路16の入口16ａの近傍には、シャッター部材12が配設されている。シャッター部材12については後に詳述する。
【００１８】
（画像形成時の記録材Ｐの流れ）
画像形成時の記録材Ｐは、次のように搬送される。
【００１９】
まず、給送トレイ１上に積載された記録材Ｐのうち最上部の１枚の記録材Ｐは、給送部２で給送され、搬送ローラ対３を通って、転写部４へと搬送される。
【００２０】
一方、カートリッジ４ｄの内部においては、不図示の電装部から送られた電気信号によって、スキャナ４ｃが感光体ドラム４ａに対してレーザー情報（静電潜像）を書き込み、当該静電潜像に４ｄに対して前記現像部からトナーが供給される。これにより、感光体ドラム４ａ上にトナー画像が形成されている。このため、記録材Ｐが転写部４に搬送され、記録材Ｐを挟んで感光体ドラム４ａと転写ローラ４ｂとが押圧されると、感光体ドラム４ａ上のトナー画像が、記録材Ｐに対して転写され、記録材Ｐにトナー画像が形成される。
【００２１】
転写部４でトナー画像が転写された記録材Ｐは、定着部５に進入して定着部５によって搬送される。定着部５では、トナー粒子を記録材Ｐに対して熱溶着させることで、トナー画像を記録材Ｐに定着させる。定着部５はトナー画像を記録材Pに定着すると共に記録材Ｐを搬送する搬送手段としての機能を兼ねる。
【００２２】
この後、フェースダウン排出の場合は、排出トレイ11を閉じる。この状態にしておくことにより、排出トレイ11に連動して回動する搬送ガイド10が閉じ、そのガイド面に沿って搬送手段としての搬送ローラ対６によって搬送される記録材Ｐが排出ローラ対７側に案内される。記録材Ｐは搬送ローラ対６、排出ローラ対７、排出ローラ対８を通って排出トレイ９上に排出積載される。ここで、記録材Ｐが搬送される際、搬送ローラ対６、７、排出ローラ対８で搬送される過程で、記録材Ｐのトナー画像形成面が上下反転する。このため、画像形成面が下側になって排出されることとなる。
【００２３】
また、フェースアップ排出の場合は、排出トレイ11が開く。この状態にしておくことで、排出トレイ11に連動して回動する搬送ガイド10も開き、そのガイド面に当接することなく記録材Ｐは搬送ローラ対６を通った後、排出トレイ11及び搬送ガイド10上に排出される。ここで、記録材Ｐが搬送される際、記録材Ｐは画像形成面を上側に保ったまま排出される。このため、画像形成面が上側になって排出されることとなる。
【００２４】
（シャッター部材12の構成）
フェースアップ排出時に排出トレイ11への記録材Ｐの搬送を円滑にするためのシャッター部材（遮蔽部材）12について図を用いて詳細に説明する。図２、図４、図５は第１実施形態におけるフェースダウン排出状態での排出トレイ11周辺の断面図であり、図３は第１実施形態における搬送路16の入口16ａ近傍に位置するシャッター部材12を示した部分斜視図である。
【００２５】
図２及び図３に示すように、本実施形態のシャッター部材12は、排出ローラ対７及び搬送路16を覆うことで遮蔽可能に配置され断面略Ｃ字状に形成されたシャッター部（遮蔽部）12ａと、回動する際の回動中心にある回動軸12ｂと、排出トレイ11が閉じた状態にある時に排出トレイ11に突き当てるための突当部12ｃと、を有する。また、シャッター部12ａと突当部12ｃとは回動軸12ｂを挟むように一体的に配設されている。
【００２６】
シャッター部12ａの長さ及び形状は、シャッター部12ａが図２における時計回りに回動すると、排出ローラ対７のニップ部７Ｎ（ローラ同士が互いに当接する部分）に通じる記録材Ｐの搬送路16から退避するように構成されている。また、シャッター部12ａが図２における反時計回りに回動すると、排出ローラ対７のニップ部７Ｎに通じる記録材Ｐの搬送路16を覆うことで遮蔽する。
【００２７】
この構成により、突当部12ｃを付勢すると、シャッター部材12が回動軸12ｂを中心に図２（ａ）における時計回りに回動する。また、突当部12ｃの付勢を解除すると、シャッター部12ａは自重により、回動軸12ｂを中心に図２（ｂ）における反時計回りに回動することとなる。
【００２８】
（シャッター部材12の動作）
以上の構成により、フェースアップ排出を行う際の記録材Ｐの排出時の動作は以下のようになる。図２、図４、図５を用いて説明する。
【００２９】
まず、フェースダウン排出を行う場合には、図２（ａ）に示すように、排出トレイ11を閉じた状態にしておく。この状態において、排出トレイ11はシャッター部材12の突当部12ｃを付勢している。すると、シャッター部材12は、図２（ａ）に示す姿勢を保持することにより、そのシャッター部12ａが、記録材Ｐの搬送路16に通じる排出ローラ対７のニップ部７Ｎの下方を妨げることはない。
【００３０】
このため、シャッター部材12のシャッター部12ａは、図２（ａ）に示す姿勢を保持することにより、記録材Ｐの搬送路16に通じる排出ローラ対７のニップ部７Ｎの下方に突出せず、記録材Ｐが搬送路16に進入することを妨げることはない。
【００３１】
次に、フェースアップ排出を行う場合には、図２（ｂ）に示すように、排出トレイ11を開けた状態にしておく。この状態において、排出トレイ11はシャッター部材12の突当部12ｃから離間し、突当部12ｃの装置内部側に対する付勢を解除している。このため、シャッター部材12のシャッター部12ａは、記録材Ｐの搬送路16に通じる排出ローラ対７のニップ部７Ｎの下方に突出することとなり、記録材Ｐが搬送路16に進入することを妨げることとなる。
【００３２】
（シャッター部材12及び記録材Ｐ搬送時の記録材Ｐの挙動）
図４及び図５を用いて記録材Ｐのフェースアップ排出時のシャッター部材12の作用について説明する。
【００３３】
フェースアップ排出時において、排出トレイ11及び搬送ガイド10に記録材Ｐが積載されると、図４（ａ）に示すように、装置の周囲の環境変化等により、記録材Ｐの最上部に積載される記録材Ｐｔの後端が上方に撓んでくることがある。
【００３４】
記録材Ｐｔの後端が上方に撓んだ状態で記録材Ｐｔの次に搬送される記録材Ｐｎが搬送されてくると、記録材Ｐｔの後端の下部に記録材Ｐｎの先端の上部が当接する場合がある。この場合に搬送ローラ対６がそのまま搬送動作を継続すると、図５（ａ）に示すように、記録材Ｐｎの先端は記録材Ｐｔの後端を押し上げることとなる。
【００３５】
この場合であっても、排出ローラ対７のニップ部７Ｎは、シャッター部材12のシャッター部12ａによって覆われた状態である。また、シャッター部12ａは断面略Ｃ字状の構成であり、シャッター部12ａの下部表面が滑らかに構成されている。このため、記録材Ｐｎが搬送ローラ対６から搬送されると、記録材Ｐｎの先端部は、シャッター部12ａの下部表面で記録材Ｐｔの後端を押しつつ排出トレイ11の方向へ進む。このように、記録材Ｐｔの後端と搬送ローラ対６により搬送される記録材Ｐｎの先端とは、シャッター部材12のシャッター部12ａに沿って、排出トレイ11方向へと搬送される。この結果、記録材Ｐは順序良く排出トレイ11上に積載されていくことになる。
【００３６】
以上のように、フェースアップ排出を行う場合には、排出トレイ11を開く動作に連動して、シャッター部材12のシャッター部12ａが排出ローラ対７及び搬送路16を覆うことで遮蔽する。これにより、記録材Ｐｔの後端及び記録材Ｐｎの先端が搬送路16側に移動しても、記録材Ｐはシャッター部材12の下部に当接するのみで、排出ローラ対７のニップ部７Ｎを通過して搬送路16に進入することはない。また、シャッター部12ａの下面は、当接した記録材Ｐを排出トレイ11側にガイドする。このため、記録材Ｐを円滑に搬送することができる。
【００３７】
また、本実施形態のシャッター部材12は、排出トレイ11を開くと自重により回動する構成である。このように、シャッター部材12を小さく構成することができるため、複雑な構成を付帯することなく、搬送路16の遮蔽を行うことができ、装置の記録材Ｐの排出部近傍を小型にすることができる。
【００３８】
また、排出トレイ11が開いている状態でフェースアップ排出を行う場合に、シャッター部12ａが排出ローラ対７のニップを覆っている。このため、記録材Ｐｎが搬送ローラ対６から排出されている途中に、例えばユーザーが排出された記録材Ｐｎの姿勢を整えようとした場合であっても、ユーザーが排出ローラ対７に不用意に触れたり、排出された記録材等をユーザーが排出ローラ対７に触れさせたりして記録材や排出ローラ対７を損傷してしまうこと等が防止される。
【００３９】
また、シャッター部材12の回動軸12ｂは、排出ローラ対７の装置外側のローラの上方、又は搬送路16よりも外側に設けられており、より排出トレイ11に近い箇所に設けられている。本実施形態は突当部12ｃと排出トレイ11との付勢が効果的に行われることが好ましいが、より装置の外側に回動軸12ｂを設けることで、排出トレイ11との付勢を簡潔かつ効果的に行うことができる。
【００４０】
〔第２実施形態〕
図面を用いて本発明の第２実施形態を説明する。前述した実施形態と同様の構成については同符号を付し、説明を省略する。本実施形態では、特徴部分であるプレート15の詳細説明を行う。
【００４１】
（プレート15の構成）
フェースアップ排出時に排出トレイ11への記録材Ｐの搬送を円滑にするためのプレート部材（遮蔽部材）15について図を用いて詳細に説明する。図６、図８、図９は第２実施形態におけるフェースダウン排出状態での排出トレイ11周辺の断面図であり、図７は第２実施形態における搬送路16の入口16ａ近傍に位置するプレート部材15を示した部分斜視図である。
【００４２】
図６及び図７に示すように、本実施形態のプレート部材15は、排出ローラ対７及び搬送路16の入口16ａを覆うことで遮蔽可能に配置されたプレート部（遮蔽部）15ｂと、プレート部15ｂと一体的に構成され搬送路16を妨げない位置に配設され且つ排出トレイ11を閉じた状態で排出トレイ11に突き当てられる突当部15ａと、プレート部15ｂを排出トレイ11側に付勢するためのバネ等の付勢部15ｃと、を有する。
【００４３】
この構成により、突当部15ａを付勢すると、プレート部15ｂが付勢部15ｃの付勢力に抗してプレート部15ｂが装置内側に水平移動する。また、突当部15ａの付勢を解除すると、プレート部15ｂは、付勢部15ｃの付勢力により、図６に示すように、装置の内側から外側へ水平移動する。この結果、プレート部15ｂが排出ローラ対７及び搬送路16を覆うことで遮蔽することとなる。
【００４４】
（プレート部材15の動作）
以上の構成により、フェースアップ排出を行う際の記録材Ｐの排出時の動作は以下のようになる。図６、図８、図９を用いて説明する。
【００４５】
まず、フェースダウン排出を行う場合には、図６（ａ）に示すように、排出トレイ11を閉じた状態にしておく。この状態において、排出トレイ11はプレート部材15の突当部15ａを付勢している。すると、プレート部材15のプレート部15ｂは、付勢部15ｃの付勢力に抗して内部側に付勢されるため、そのプレート部15ｂが、記録材Ｐの搬送路16に通じる排出ローラ対７のニップ部７Ｎの下方から退避した姿勢を維持することとなる。尚、突当部15ａは、搬送路16外に配設されている。このため、プレート部材15のプレート部15ｂは、記録材Ｐの搬送路16に通じる排出ローラ対７のニップ部７Ｎの下方に突出することはなく、記録材Ｐの搬送を妨げることはない。
【００４６】
次に、フェースアップ排出を行う場合には、図６（ｂ）に示すように、排出トレイ11を開けた状態にしておく。この状態において、排出トレイ11はプレート部材15の突当部15ａから離間し、突当部15ａの装置内部側に対する付勢を解除している。すると、プレート部15ｂは、付勢部15ｃからの付勢により内側から外側へ水平移動し、記録材Ｐの搬送路16に通じる排出ローラ対７のニップ部７Ｎの下方に配置される。このため、プレート部材15のプレート部15ｂは、記録材Ｐの搬送路16に通じる排出ローラ対７のニップ部７Ｎの下方に突出することとなり、記録材Ｐが搬送路16に進入することを妨げることとなる。
【００４７】
（プレート部材15及び記録材Ｐ搬送時の記録材Ｐの挙動）
図８及び図９を用いて記録材Ｐのフェースアップ排出時のプレート部材15の作用について説明する。
【００４８】
フェースアップ排出時において、排出トレイ11及び搬送ガイド10に記録材Ｐが積載されると、図８（ａ）に示すように、装置の周囲の環境変化等により、記録材Ｐの最上部に積載される記録材Ｐｔの後端が上方に撓んでくることがある。
【００４９】
記録材Ｐｔの後端が上方に撓んだ状態で記録材Ｐｔの次に搬送される記録材Ｐｎが搬送されてくると、前述と同様、図８（ａ）に示すように、記録材Ｐｎの先端は記録材Ｐｔの後端を押し上げることとなる。
【００５０】
この場合であっても、排出ローラ対７のニップ部７Ｎは、プレート部材15のプレート部15ｂによって覆われた状態である。また、プレート部15ｂは平板状の構成であり、プレート部15ｂの下部表面が滑らかに構成されている。このため、記録材Ｐｎが搬送ローラ対６から搬送されると、記録材Ｐｎの先端部は、プレート部15ｂの下部表面で記録材Ｐｔの後端を押しつつ排出トレイ11の方向へ進む。このように、記録材Ｐｔの後端と搬送ローラ対６により搬送される記録材Ｐｎの先端とは、プレート部材15のプレート部15ｂの下面に沿って、排出トレイ11方向へと搬送される。この結果、記録材Ｐは順序良く排出トレイ11上に積載されていくことになる。
【００５１】
以上のように、フェースアップ排出を行う場合には、排出トレイ11を開く動作に連動して、プレート部材15のプレート部15ｂが排出ローラ対７及び搬送路16を覆うことで遮蔽する。これにより、記録材Ｐｔの後端及び記録材Ｐｎの先端が搬送路16側に移動しても、記録材Ｐはプレート部材15の下面に当接するのみで、排出ローラ対７のニップ部７Ｎを通過して搬送路16に進入することはない。また、プレート部15ｂの下面は、当接した記録材Ｐを排出トレイ11側にガイドする。このため、記録材Ｐを円滑に搬送することができる。
【００５２】
また、プレート部材15のプレート部15ｂは、排出ローラ対７の装置内側のローラ及び搬送路16よりも内側に設けられている。このため、搬送路16の外側に十分なスペースがない場合等、小型の装置に対しても適用することができる。
【００５３】
また、フェースアップ排出を行う場合には、プレート部15ｂが排出ローラ対７のニップを覆っている。このため記録材Ｐｎが搬送ローラ対6から排出されている途中に、例えばユーザーが排出された記録材Ｐｎの姿勢を整えようとした場合であっても、ユーザーが排出ローラ対７に不用意に触れたり、排出された記録材等をユーザーが排出ローラ対７に触れさせたりして記録材や排出ローラ対７を損傷してしまうこと等が防止される。
【００５４】
〔他の実施形態〕
前述した実施形態においては、搬送路16中の記録材Ｐを排出トレイ９へ搬送する排出ローラ対を２つ設けた（排出ローラ対７、８）が、これに限るものではない。例えば、図１０に示すように、排出ローラ対７を配設せずに排出ローラ対８のみの構成であっても適用することができる。即ち、図１０（ａ）に示すように、搬送路16の下方をシャッター部12ａで遮蔽する構成、又は図１０（ｂ）に示すように、搬送路16の下方をプレート部15ｂで遮蔽する構成としてもよい。
【００５５】
このように、フェースアップ排出を行う場合に排出トレイ11を開けると、この動作に連動して搬送路16の入口16ａが遮蔽部材（シャッター部材12、プレート部材15）の遮蔽部（シャッター部12ａ、プレート部15ｂ）により覆われる。すると、記録材Ｐｔの後端や記録材Ｐｎの先端は、遮蔽部の下部に当接した後、排出トレイ11方向へ搬送されることとなる。この結果、記録材Ｐは順序良く排出トレイ11上に積載されていくことになる。また、本実施形態は排出ローラ対７を配設せず、搬送路16の最下流端に排出ローラ対８のみを１つ配設する構成であるので、より装置を小型にすることができる。
【００５６】
前述した実施形態においては、シャッター部材が自重により移動することとしたが、これに限るものではない。例えば、自重ではなく、シャッター部材の当接部が排出トレイ11によって押圧されなかった場合にモータなどの駆動駆動源を用いて、電気的にシャッター部を移動させることとしてもよい。
【００５７】
前述した実施形態においては、画像形成装置としてプリンタを例示して説明したが、これに限るものではない。例えば、複写機やファクシミリ装置などにも適用することができる。
【図面の簡単な説明】
【００５８】
【図１】画像形成装置20の概略説明をするための断面図。
【図２】第１実施形態におけるフェースダウン排出状態での排出トレイ11周辺の断面図。
【図３】第１実施形態における搬送路16の入口16ａ近傍に位置するシャッター部材12を示した部分斜視図。
【図４】第１実施形態におけるフェースダウン排出状態での排出トレイ11周辺の断面図。
【図５】第２実施形態におけるフェースダウン排出状態での排出トレイ11周辺の断面図。
【図６】第２実施形態におけるフェースダウン排出状態での排出トレイ11周辺の断面図。
【図７】第２実施形態における搬送路16の入口16ａ近傍に位置するプレート部材15を示した部分斜視図。
【図８】第２実施形態におけるフェースダウン排出状態での排出トレイ11周辺の断面図。
【図９】第２実施形態におけるフェースダウン排出状態での排出トレイ11周辺の断面図。
【図１０】他の実施形態におけるフェースダウン排出状態での排出トレイ11周辺の断面図。
【図１１】従来技術におけるフェースダウン排出状態での排出トレイ11周辺の断面図。
【図１２】従来技術におけるフェースダウン排出状態での排出トレイ11周辺の断面図。
【符号の説明】
【００５９】
Ｐ…記録材
４ａ…感光体ドラム（像担持体）
６…搬送ローラ対（搬送手段）
７…排出ローラ対（排出手段）
８…排出ローラ対（排出手段）
９…排出トレイ（第一排出部）
10…搬送ガイド
11…排出トレイ（第二排出部）
12…シャッター部材（遮蔽部材）
12ａ…シャッター部（遮蔽部）
12ｂ…回動軸
12ｃ…突当部
15…プレート部材（遮蔽部材）
15ａ…突当部
15ｂ…プレート部（遮蔽部）
15ｃ…付勢部
16…搬送路（搬送路）
16ａ…搬送路の入口
20…画像形成装置
【図１】
2006232525.tif 000003
【図２】
2006232525.tif 000004
【図３】
2006232525.tif 000005
【図４】
2006232525.tif 000006
【図５】
2006232525.tif 000007
【図６】
2006232525.tif 000008
【図７】
2006232525.tif 000009
【図８】
2006232525.tif 000010
【図９】
2006232525.tif 000011
【図１０】
2006232525.tif 000012
【図１１】
2006232525.tif 000013
【図１２】
2006232525.tif 000014